(57)【要約】【課題】  映像と音声とを別機器で再生するシステムにおいて、映像と音声とのタイミングのずれを調整可能な情報処理装置を提供する。【解決手段】  ユーザによる操作、受光状態、及び撮像対象の状態の少なくとも１つを検出可能に構成された検出部と、音声出力タイミング調整用映像のデータを含む映像データを送信可能に構成されたデータ送信部と、音声データに基づいて音声を出力可能に構成された音声出力部と、前記検出部からの検出信号に基づいて音声出力タイミング設定値を設定し、該音声出力タイミング設定値に基づいて前記音声出力部からの音声の出力タイミングを制御可能に構成された制御部と、を備えることを特徴とする情報処理装置を提供する。【選択図】  図１
2015119285.tif 000002
【特許請求の範囲】
【請求項１】
ユーザによる操作、受光状態、及び撮像対象の状態の少なくとも１つを検出可能に構成された検出部と、
音声出力タイミング調整用映像のデータを含む映像データを送信可能に構成されたデータ送信部と、
音声データに基づいて音声を出力可能に構成された音声出力部と、
前記検出部からの検出信号に基づいて音声出力タイミング設定値を設定し、該音声出力タイミング設定値に基づいて前記音声出力部からの音声の出力タイミングを制御可能に構成された制御部と、
を備えることを特徴とする情報処理装置。
【請求項２】
前記検出部は、外部表示装置による前記音声出力タイミング調整用映像の表示によって促されたユーザによる操作に応答して前記制御部へ前記検出信号を出力し、
前記制御部は、前記検出信号の入力タイミングと、前記データ送信部から送信される映像データの入力タイミングとに基づいて、前記音声出力タイミング設定値を設定する、
ことを特徴とする、請求項１に記載の情報処理装置。
【請求項３】
前記検出部は、外部表示装置に表示される映像の明るさの変化に応答して前記検出部へ前記検出信号を出力し、
前記制御部は、前記検出信号の入力タイミングと、前記データ送信部から送信される映像データの入力タイミングとに基づいて、前記音声出力タイミング設定値を設定する、
ことを特徴とする、請求項１に記載の情報処理装置。
【請求項４】
前記検出部は、外部表示装置に表示される映像の変化に応答して前記検出部へ前記検出信号を出力し、
前記制御部は、前記検出信号の入力タイミングと、前記データ送信部から送信される映像データの入力タイミングとに基づいて、前記音声出力タイミング設定値を設定する、
ことを特徴とする、請求項１に記載の情報処理装置。
【請求項５】
前記音声出力タイミング調整用映像のデータは、複数の映像が所定時間ごとに切り替えられる映像のデータであることを特徴とする、請求項４に記載の情報処理装置。
【請求項６】
前記音声出力タイミング調整用映像のデータは、所定の図形によるパターン画像を含むことを特徴とする、請求項４または請求項５に記載の情報処理装置。
【請求項７】
前記音声出力タイミング調整用映像のデータは、タイミング情報を含む映像のデータであることを特徴とする、請求項４または請求項５に記載の情報処理装置。
【請求項８】
音声を検出可能な音声検出部と、
映像データと、複数の周波数の音声が合成された音声出力タイミング調整用音声のデータを含む音声データとを送信可能に構成されたデータ送信部と、
音声データに基づいて音声を出力可能に構成された音声出力部と、
前記音声検出部からの音声情報に基づいて音声出力タイミング設定値を設定し、該音声出力タイミング設定値に基づいて前記音声出力部からの音声の出力タイミングを制御可能に構成された制御部と、
を備えることを特徴とする情報処理装置。
【請求項９】
前記複数の周波数の音声が合成された音声出力タイミング調整用音声のデータが、ＤＴＭＦ（Ｄｕａｌ  Ｔｏｎｅ  Ｍｕｌｔｉ−Ｆｒｅｑｕｅｎｃｙ）のデータであることを特徴とする、請求項８に記載の情報処理装置。
【請求項１０】
前記音声出力タイミング調整用音声のデータは、第１音声、無音、及び第２音声が、所定の期間ずつ出力される音声のデータであることを特徴とする、請求項８または請求項９に記載の情報処理装置。
【発明の詳細な説明】
【技術分野】
【０００１】
本発明の一態様は、映像と音声とを含む動画を再生可能な情報処理装置に関する。
【背景技術】
【０００２】
近年、タブレット機器やスマートフォン等で再生される映像と音声とのデータを、ＴＶ等の外部機器に無線で送信し、この外部機器で映像と音声とを視聴できる機器がある。このような機器では、映像の再生と音声の再生とを別機器で行う場合があり、この場合、映像の再生タイミングと音声の再生タイミングとがずれる場合がある。このようなタイミングのずれを調整して映像と音声との同期を取る技術として、例えば特許文献１のように、外部の音声再生機器で再生される音声をマイクで集音し、この集音された音声を利用してタイミングを調整する方法があった。
【先行技術文献】
【特許文献】
【０００３】
【特許文献１】特開２００８−１１３０２号公報
【発明の概要】
【発明が解決しようとする課題】
【０００４】
しかしながら、特許文献１に記載された技術では、雑音が多い場面では適用しづらいといった課題があった。
【課題を解決するための手段】
【０００５】
本発明は、上記課題を解決するために次のような手段を採る。なお、以下の説明において、発明の理解を容易にするために図面中の符号等を括弧書きで付記するが、本発明の各構成要素はこれらの付記したものに限定されるものではなく、当業者が技術的に理解しうる範囲にまで広く解釈されるべきものである。
【０００６】
本発明の手段１は、
ユーザによる操作、受光状態、及び撮像対象の状態の少なくとも１つを検出可能に構成された検出部（操作入力部２００、受光部２１０、または撮像部２２０）と、
音声出力タイミング調整用映像のデータを含む映像データを送信可能に構成されたデータ送信部（データ送信部１７０）と、
音声データに基づいて音声を出力可能に構成された音声出力部（音声出力部１６０）と、
前記検出部からの検出信号に基づいて音声出力タイミング設定値を設定し、該音声出力タイミング設定値に基づいて前記音声出力部からの音声の出力タイミングを制御可能に構成された制御部（制御部１８０）と、
を備えることを特徴とする情報処理装置（ソース機器１０）である。
【０００７】
本手段によれば、ソース機器で再生される音声のタイミングとシンク機器で再生される映像のタイミングとを、映像を利用して同期させる方法を採るため、周囲の雑音に影響されることなく、かかる同期を実行させることが可能となる。
【０００８】
本発明の手段２は、
前記検出部（操作入力部２００）は、外部表示装置による前記音声出力タイミング調整用映像の表示によって促されたユーザによる操作に応答して前記制御部へ前記検出信号を出力し、
前記制御部は、前記検出信号の入力タイミングと、前記データ送信部から送信される映像データの入力タイミングとに基づいて、前記音声出力タイミング設定値を設定する、
ことを特徴とする、手段１の情報処理装置（図１のソース機器１０）である。
【０００９】
本手段によれば、再生される音声と映像との同期を、ユーザの操作により実行するため、比較的簡単な設計により、かかる同期を実行させることが可能となる。
【００１０】
本発明の手段３は、
前記検出部（受光部２１０）は、外部表示装置に表示される映像の明るさの変化に応答して前記検出部へ前記検出信号を出力し、
前記制御部は、前記検出信号の入力タイミングと、前記データ送信部から送信される映像データの入力タイミングとに基づいて、前記音声出力タイミング設定値を設定する、
ことを特徴とする、手段１の情報処理装置（図６のソース機器１０）である。
【００１１】
本手段では、再生される映像と音声との同期を、受光する光の明るさ、つまり画面の明暗に基づいて実行している。これによって、ユーザの操作による同期の実行と比較すると、自動的な同期が可能であり、ユーザ操作による誤作動を防止することができる。また、単なる画面の明暗を利用した同期の実行が可能であるため、比較的簡単な設計による同期の実行が可能となる。
【００１２】
本発明の手段４は、手段１に加え、
前記検出部（撮像部２２０）は、外部表示装置に表示される映像の変化に応答して前記検出部へ前記検出信号を出力し、
前記制御部は、前記検出信号の入力タイミングと、前記データ送信部から送信される映像データの入力タイミングとに基づいて、前記音声出力タイミング設定値を設定する、
ことを特徴とする、手段１の情報処理装置（図９のソース機器１０）である
【００１３】
本手段では、再生される映像と音声との同期を、動画を利用して実行している。これによって、ユーザの操作による同期の実行と比較すると、自動的な同期が可能であり、ユーザ操作による誤作動を防止することができる。また、単なる画面の明暗を利用した同期の実行と比較すると、画面自体の明暗に影響されることのない同期の実行が可能になる。
【００１４】
本発明の手段５は、
前記音声出力タイミング調整用映像のデータは、複数の映像が所定時間ごとに切り替えられる映像（図１２または図１３参照）のデータであることを特徴とする、手段１の情報処理装置である。
【００１５】
本手段によれば、再生される映像と音声との同期が、一度の映像の切り替えタイミングでは失敗してしまった場合でも、次の画面の切り替えタイミングでかかる同期を再度実行することが可能となる。ひいては、ユーザによる操作を容易化することが可能となる。
【００１６】
本発明の手段６は、
前記音声出力タイミング調整用映像のデータは、所定の図形によるパターン画像（図１２参照）を含むことを特徴とする、手段４または手段５の情報処理装置である。
【００１７】
本手段によれば、比較的簡単な図形を利用した再生される映像と音声との同期が可能となる。また、複雑な画像を利用する場合と比較して、簡単な設計による再生映像と再生音声との同期の実行が可能となる。
【００１８】
本発明の手段７は、
前記音声出力タイミング調整用映像のデータは、タイミング情報を含む映像（図１３参照）であることを特徴とする、手段４または手段５の情報処理装置である。
【００１９】
本手段によれば、映像自体がタイミング情報を含むことにより、タイミングの同期に利用すべき映像の情報を、かかるタイミング情報を参照することにより確認可能となり、不具合の少ない同期の実行が可能となる。
【００２０】
本発明の手段８は、
音声を検出可能な音声検出部（マイク２３０）と、
映像データと、複数の周波数の音声が合成された音声出力タイミング調整用音声のデータを含む音声データとを送信可能に構成されたデータ送信部（データ送信部１７０）と、
音声データに基づいて音声を出力可能に構成された音声出力部（音声出力部１６０）と、
前記音声検出部からの音声情報に基づいて音声出力タイミング設定値を設定し、該音声出力タイミング設定値に基づいて前記音声出力部からの音声の出力タイミングを制御可能に構成された制御部（制御部１８０）と、
を備えることを特徴とする情報処理装置（図１４のソース機器１０）である。
【００２１】
本手段によれば、周囲の音声ノイズに強い、再生映像と再生音声とのタイミングの同期の実行が可能となる。
【００２２】
本発明の手段９は、
前記複数の周波数の音声が合成された音声出力タイミング調整用音声のデータが、ＤＴＭＦ（Ｄｕａｌ  Ｔｏｎｅ  Ｍｕｌｔｉ−Ｆｒｅｑｕｅｎｃｙ）のデータ（図１５参照）であることを特徴とする、手段８の情報処理装置である。
【００２３】
本手段によれば、比較的容易な方法で、周囲の音声ノイズにも強い、再生音声と再生映像とのタイミングの同期の実行が可能となる。
【００２４】
本発明の手段１０は、
前記音声出力タイミング調整用音声のデータは、第１音声、無音、及び第２音声が、所定の期間ずつ出力される音声のデータ（図１５参照）であることを特徴とする、手段８または手段９の情報処理装置である。
【００２５】
本手段によれば、最初の音声出力タイミング調整用音声のデータでのタイミングの同期に失敗した場合でも、次の音声出力タイミング調整用音声のデータでのタイミングの同期が可能となる。ひいては、ユーザによる操作を容易化することが可能となる。
【図面の簡単な説明】
【００２６】
【図１】実施形態１のソース機器の構成を示す図。
【図２】シンク機器の構成を示す図。
【図３】ソース機器及びシンク機器でのタイミングを示す図。
【図４】実施形態１の画面表示の例を示す図。
【図５】実施形態１の画面表示の例を示す図。
【図６】実施形態２のソース機器の構成を示す図。
【図７】実施形態２の画面表示の例を示す図。
【図８】実施形態２の画面表示の例を示す図。
【図９】実施形態３のソース機器の構成を示す図。
【図１０】実施形態３の画面表示の例を示す図。
【図１１】実施形態３の画面表示の例を示す図。
【図１２】実施形態３のパターン画像を示す図。
【図１３】実施形態３のタイミング情報を含む映像を示す図。
【図１４】実施形態４のソース機器の構成を示す図。
【図１５】ソース機器及びシンク機器等でのタイミングを示す図。
【発明を実施するための形態】
【００２７】
本発明に係る実施形態について、以下の構成に従って図面を参照しながら具体的に説明する。ただし、以下で説明する実施形態はあくまで本発明の一例にすぎず、本発明の技術的範囲を限定的に解釈させるものではない。なお、各図面において、同一の構成要素には同一の符号を付しており、その説明を省略する場合がある。
１．定義
２．実施形態１
（１）システム構成
（２）ソース機器の構成
（３）シンク機器の構成
（４）映像と音声との同期の動作
３．実施形態２
（１）ソース機器の構成
（２）映像と音声との同期の処理
４．実施形態３
（１）ソース機器の構成
（２）映像と音声との同期の処理
５．実施形態４
（１）ソース機器の構成
（２）映像と音声との同期の処理
６．補足事項
【００２８】
＜１．定義＞
まず、本明細書において用いる用語を以下のとおり定義する。ただし、各用語の解釈は下記の定義よってのみ限定解釈または拡大解釈されるべきではなく、当業者が発明の趣旨に沿って理解するものも考慮される。
「○○部」：ハードまたはソフトによって構成された特定の機能を実行可能な機能部分を指す。
「ソース機器」：映像をシンク機器に送信する元となる機器を指す。スマートフォンやタブレット等を含むが、これらに限るものではない。
「シンク機器」：映像をソース機器から受信して表示する機器を指す。ＴＶ等の表示装置（モニター）を含む機器を含むが、これらに限るものではない。
【００２９】
＜２．実施形態１＞
本発明の実施形態１について、図１乃至図５を参照しながら具体的に説明する。
【００３０】
＜（１）システム構成＞
本発明のシステムは、図１に示すソース機器１０及び図２に示すシンク機器３０を含むシステムである。ソース機器１０は、例えばスマートフォンやタブレット等であり、少なくとも音声を出力可能な機器である。シンク機器３０は、例えばＴＶやカーナビゲーションシステム等であり、少なくとも映像を表示可能な機器である。一例としては、ソース機器１０が映画のようなコンテンツを記憶しており、このコンテンツの映像をシンク機器３０に表示し、音声をソース機器１０に接続したヘッドホンを通して出力するような使い方が想定される。この場合に、ソース機器１０からシンク機器３０へと送信される映像データは、一旦ソース機器１０でデコードされた後、再度エンコードされ、シンク機器３０に送信され、シンク機器３０で受信された後にデコードされてから表示される。一方で音声データは、ソース機器１０でデコードされた後、再生される。このため、ソース機器１０での音声の再生に遅れて、シンク機器３０での映像の再生がなされることとなる。この、映像データと音声データとの再生タイミングのずれを調整し、映像と音声とを同期させて再生することで、ユーザが快適にコンテンツを楽しむことができる。
【００３１】
＜（２）ソース機器の構成＞
図１は、本実施形態のソース機器１０の構成を示す図である。図１に示すように、ソース機器１０は、コンテンツ記憶部１１０、デコーダ部１２０、音声データバッファ１３０、映像データバッファ１４０、エンコーダ部１５０、音声出力部１６０、データ送信部１７０、制御部１８０、設定記憶部１９０、及び操作入力部２００を含んで構成される。
【００３２】
＜コンテンツ記憶部１１０＞
コンテンツ記憶部１１０は、映像と音声とを含む映画等のコンテンツを記憶可能に構成される。特に、本発明においては、コンテンツ記憶部１１０は、音声出力タイミング調整用映像のデータを記憶可能に構成されている。コンテンツ記憶部１１０に記憶されたコンテンツは、特定のデータフォーマットに符号化された状態になっている。コンテンツ記憶部１１０は、デコーダ部１２０または制御部１８０からの指示に基づいて、デコーダ部１２０に対してコンテンツのデータを出力可能に構成される。コンテンツ記憶部１１０は、磁気記憶装置、半導体メモリ、光記憶装置、光磁気記憶装置などで構成される。
【００３３】
＜デコーダ部１２０＞
デコーダ部１２０は、コンテンツ記憶部１１０に記憶された、符号化されたコンテンツ及び音声出力タイミング調整用映像のデータを、再生可能なフォーマットに復号（デコード）可能に構成される。デコーダ部１２０は、このデコードしたコンテンツ及び音声出力タイミング調整用映像の音声データ及び映像データを、それぞれ音声データバッファ１３０及び映像データバッファ１４０に対して出力可能に構成される。デコーダ部１２０は、このコンテンツ及び音声出力タイミング調整用映像のデータが含む、映像と音声との関連付けられたタイミング信号を、制御部１８０に出力可能に構成される。より具体的には、このタイミング信号はゼロ表示画像（後述）に関連付けられており、ゼロ表示画像のデコードタイミングに合わせて出力される。
【００３４】
＜音声データバッファ１３０＞
音声データバッファ１３０は、デコーダ部１２０によってデコードされたコンテンツ及び音声出力タイミング調整用映像のデータに含まれる音声データを入力信号として受け取り、この音声データを一時的に記憶し、エンコーダ部１５０及び音声出力部１６０に出力可能に構成される。後述するように、音声データバッファ１３０は、制御部１８０からの指示によって、音声出力部１６０に対する音声データの出力タイミングを遅延可能にするため、映像データバッファ１４０よりも長時間の音声データのバッファが可能な記憶領域を持つよう構成される。音声データバッファ１３０はＦＩＦＯメモリで構成可能であるが、そのバッファ時間を調整可能に構成される。
【００３５】
＜映像データバッファ１４０＞
映像データバッファ１４０は、デコーダ部１２０によってデコードされたコンテンツ及び音声出力タイミング調整用映像のデータに含まれる映像データを入力信号として受け取り、この映像データを一時的に記憶し、エンコーダ部１５０に出力可能に構成される。上記のとおり、映像データバッファ１４０は音声データバッファ１３０と比較すると、短時間の映像データのバッファが可能な記憶領域を持つよう構成される。映像データバッファ１４０はＦＩＦＯメモリで構成可能である。
【００３６】
＜エンコーダ部１５０＞
エンコーダ部１５０は、音声データバッファ１３０及び映像データバッファ１４０から入力された音声データ及び映像データを特定のフォーマットに符号化し、この符号化した音声データ及び映像データをデータ送信部１７０に出力可能に構成される。
【００３７】
＜音声出力部１６０＞
音声出力部１６０は、音声データバッファ１３０から入力されるデコードされた音声データに基づいて音声を出力可能に構成される。この音声は、ヘッドホンまたはスピーカーから出力され、ユーザが視聴可能になる。
【００３８】
＜データ送信部１７０＞
データ送信部１７０は、エンコーダ部１５０から入力された、デコードされた音声データ及び映像データを、シンク機器３０に送信可能に構成される。特に本発明においては、音声出力タイミング調整用映像のデータの音声データ及び映像データを送信可能に構成される。データ送信部１７０は、有線または無線のどちらかの手段を用いて、この音声データ及び映像データの送信を行う。データ送信部１７０は、これらの音声データ及び映像データを、必要に応じて所定の送信に適したフォーマットに変調可能な機能を持ち得る。
【００３９】
＜制御部１８０＞
制御部１８０は、操作入力部２００から入力される検出信号と、デコーダ部１２０から入力される、音声出力タイミング調整用映像のデータが含む映像に関連付けられたタイミング信号とに基づいて音声出力タイミング設定値を決定し、設定記憶部１９０に記憶させることができるよう構成される。制御部１８０は、内部にタイマーを備えており、このタイマーを利用して信号が入力されたタイミングなどを時間情報として記憶可能に構成される。また、制御部１８０は、設定記憶部１９０に記憶された音声出力タイミング設定値に基づいて、音声データバッファ１３０から音声出力部１６０に出力される音声データのタイミングを調整することで、音声出力部１６０から出力される音声の出力タイミングを制御可能に構成される。この音声出力タイミング設定値は、ゼロ表示画像がシンク機器３０の表示部３６０に表示されるタイミングと、この映像に対応した音声がソース機器１０の音声出力部１６０から出力されるタイミングとの時間差に対して算出される。
【００４０】
＜設定記憶部１９０＞
設定記憶部１９０は、制御部１８０から入力される音声出力タイミング設定値を記憶可能に構成される。設定記憶部１９０は、不揮発性メモリなどによって構成される。
【００４１】
＜操作入力部２００＞
操作入力部２００は、ユーザによる操作入力を検出し、検出信号を制御部１８０に出力可能に構成される。操作入力部２００は、ユーザがソース機器１０を操作するための操作部であって、キー（ボタン）またはタッチパネル等によって構成される。
【００４２】
＜（３）シンク機器の構成＞
図２は、シンク機器３０の構成を示す図である。図２に示すように、シンク機器３０は、データ受信部３１０、デコーダ部３２０、音声データバッファ３３０、映像データバッファ３４０、音声出力部３５０、及び表示部３６０を含んで構成される。
【００４３】
＜データ受信部３１０＞
データ受信部３１０は、ソース機器１０のデータ送信部１７０から送信された、復号化された音声データ及び映像データを受信可能に構成される。データ受信部３１０は、データ送信部から送信された音声データ及び映像データのフォーマットに合わせて、復調可能な機能を持ち得る。
【００４４】
＜デコーダ部３２０＞
デコーダ部３２０は、データ受信部３１０から入力された、符号化された音声データ及び映像データを、再生可能なフォーマットに復号（デコード）可能に構成される。ここで、符号化された音声データ及び映像データは、コンテンツまたは音声出力タイミング調整用映像のデータである。デコーダ部３２０は、このデコードした音声データ及び映像データを、それぞれ音声データバッファ３３０及び映像データバッファ３４０に対して出力可能に構成される。
【００４５】
＜音声データバッファ３３０＞
音声データバッファ３３０は、デコーダ部３２０によってデコードされた音声データを入力信号として受け取り、この音声データを一時的に記憶し、音声出力部３５０に出力可能に構成される。音声データバッファ１３０は、ＦＩＦＯメモリで構成可能である。
【００４６】
＜映像データバッファ３４０＞
映像データバッファ３４０は、デコーダ部３２０によってデコードされた映像データを入力信号として受け取り、この映像データを一時的に記憶し、表示部３６０に出力可能に構成される。映像データバッファ１４０はＦＩＦＯメモリで構成可能である。
【００４７】
＜音声出力部３５０＞
音声出力部３５０は、音声データバッファ３３０から入力される、デコードされた音声データに基づいて音声を出力可能に構成される。この音声は、ヘッドホンまたはスピーカーから出力され、ユーザが視聴可能になる。
【００４８】
＜表示部３６０＞
表示部３６０は、映像データバッファ３４０から入力される、デコードされた映像データに基づいて映像を表示可能に構成される。表示部３６０は、ＬＣＤまたは有機ＥＬディスプレイなどによって構成される。
【００４９】
＜（４）映像と音声との同期の処理＞
次に、本実施形態のシステムでの映像と音声とを同期させる処理について、図３乃至図５を参照しながら具体的に説明する。
【００５０】
まず、当該処理の概略について説明する。前述のように、ソース機器１０で再生される音声は、デコーダ部１２０によってデコードされた音声データが、音声データバッファ１３０を経て音声出力部１６０から出力されるものである。一方で、シンク機器３０で再生される映像は、デコーダ部１２０によってデコードされた映像データが、エンコーダ部１５０、データ送信部１７０、シンク機器３０のデータ受信部３１０、デコーダ部３２０、映像データバッファ３４０を経て、表示部３６０で表示されるものである。シンク機器３０で再生される映像は、ソース機器１０で再生される音声と比較して多数の処理が必要であるため、生成までに時間を要する。これによって、シンク機器３０で再生される映像は、ソース機器１０で再生される音声よりも遅延することになる。この遅延を調整して、映像と音声との再生タイミングを同期させるためには、デコーダ部１２０の処理から再生までの時間を均等にすればよい。つまり、音声についての、音声データバッファ１３０及び音声出力部１６０の処理に要する時間と、映像についての、映像データバッファ１４０、エンコーダ部１５０、データ送信部１７０、シンク機器３０のデータ受信部３１０、映像データバッファ３４０、及び表示部３６０の処理に要する時間とを、等しくすればよいことになる。以下の処理では、上記の同期処理を実現するための具体的な方法を説明する。
【００５１】
図３は、ソース機器１０及びシンク機器３０でのタイミングを示す図である。ソース機器１０では、上記で説明した処理によって時間Ｔ１で音声出力部１６０から音声が出力されたとき、シンク機器３０ではこの時間Ｔ１より遅れて映像が再生される。この、シンク機器３０で表示部３６０に映像が表示されるタイミングを、Ｔ２で示している。したがって、音声の出力タイミングと映像の表示タイミングとは、ｔ３（＝Ｔ２−Ｔ１）の時間分だけずれている（映像が遅延している）こととなる。以下のとおり、制御部１８０は音声データバッファ１３０から音声出力部１６０に出力される音声データのタイミングを調整することで、このｔ３の時間分のずれ（映像の遅延）を調整し、音声の出力タイミングと映像の出力タイミングとの同期を実現する。
【００５２】
まず、デコーダ部１２０は、音声出力タイミング調整用映像のデータをデコードし、映像データ及び音声データをそれぞれ映像データバッファ１４０及び音声データバッファ１３０に出力する。そして、デコーダ部１２０は、音声出力タイミング調整用映像におけるゼロ表示画像が出力されるタイミングで、タイミング信号を制御部１８０に出力する。この「ゼロ表示画像」とは、後述のように、シンク機器３０の表示部３６０に、カウントダウンを示す数字として「０」が表示された画像を指す。制御部１８０は、このタイミング信号を受信したタイミングで内部タイマーから取得した時間に、予め記憶された、デコーダ部１２０からの音声データの出力から、音声出力部１６０での音声の出力までに要する時間を加算し、Ｔ１として記憶する。
【００５３】
映像データバッファ１４０は、映像データ及び音声データをエンコーダ部１５０に出力し、エンコーダ部はこの映像データ及び音声データをエンコードし、データ送信部１７０に出力する。データ送信部１７０は、このエンコードされた映像データ及び音声データをシンク機器３０に対して送信する。
【００５４】
シンク機器３０は、受信した、エンコードされた映像データ及び音声データをデコードし、それぞれ映像データバッファ３４０及び音声データバッファ３３０に出力する。映像データバッファ３４０はこの映像データを表示部３６０に出力する。表示部３６０は、映像データバッファ３４０から入力された映像データを表示する。音声データバッファ３３０は、受け取った音声データを音声出力部３５０に出力する。音声出力部３５０は、音声データバッファ３３０から入力された音声データを出力する。
【００５５】
上記の処理を行うことで、表示部３６０には、図４及び図５に示された、音声出力タイミング調整用映像が表示されることとなる。音声出力タイミング調整用映像は、図４に示すように、音声遅延設定が実行中であることを示す文字、カウントダウンを示す数字（図４では「５」と表示）、及びカウントダウンを視覚的に把握し易くするための進捗バーが表示される映像である。音声出力タイミング調整用映像は、時間経過とともにカウントダウンの数字が減っていき、同時に進捗バーの黒い部分が画面左から右側に徐々に伸びていく。そして、最終的には、図５に示すように、カウントダウンを示す数字として「０」が表示され、進捗バーはその全体が黒く表示される。この、カウントダウンを示す数字として「０」が表示され、進捗バーの全体が黒く表示された画像を「ゼロ表示画像」と呼ぶ。また、シンク機器３０の音声出力部３５０からは、ユーザに対して音声遅延設定を行う旨の通知、及びカウントダウンを音声で行う。この音声による通知及びカウントダウンは必ずしも行われる必要はなく、その場合にはシンク機器の音声データバッファ３３０及び音声出力部３５０は必ずしも必要ではない。ただし、映像の表示と同時に音声での誘導を行うことで、操作性が向上する。
【００５６】
上記の音声出力タイミング調整用映像を視聴しているユーザは、誘導に応答して決定キーを押すことを促される。ユーザがソース機器１０の決定キーを押すと、操作入力部２００はこのユーザによる決定キーを押されたことを検出し、制御部１８０に対して検出信号を出力する。検出信号を受け取った制御部１８０は、この検出信号を受け取ったタイミングで内部タイマーから時間を取得し、この時間をＴ２として記憶する。
【００５７】
制御部１８０は、上記の処理によって取得された時間Ｔ１及び時間Ｔ２に基づいて、Ｔ２−Ｔ１の期間ｔ３を算出し、音声出力タイミング設定値として設定記憶部１９０に記憶させる。制御部１８０は、この音声出力タイミング設定値の期間ｔ３の値に基づいて、音声データバッファ１３０のバッファ量を調整する。より具体的には、例えば期間ｔ３が１．０秒だった場合には、音声データバッファ１３０でバッファリングされる時間が１．０秒追加されるよう、バッファ量を追加する。
【００５８】
制御部１８０は、上記のように設定記憶部１９０に期間ｔ３の情報を音声出力タイミング設定値として記憶させることで、次回以降にソース機器１０とシンク機器３０とを起動した場合にも、以前の設定に基づいて音声と映像との同期を実行することが可能となる。設定記憶部１９０には、この音声出力タイミング設定値を期間ｔ３の値として記憶してもよいし、音声データバッファ１３０で用いるべきバッファの数の情報として記憶してもよい。また、設定記憶部１９０は、この音声出力タイミング設定値を、シンク機器３０の識別情報と関連付けて記憶することが好ましい。これによれば、ソース機器１０が複数のシンク機器３０に接続される場合であっても、それぞれの音声出力タイミング設定値に基づく音声と映像との同期処理が可能となる。
【００５９】
上記のように、映像と音声との同期の処理を実行することにより、それ以降に実行されるコンテンツの映像と音声とも同期が取れ、ユーザは違和感なくコンテンツを視聴することが可能となる。
【００６０】
また、上記の方法では、映像を利用した映像と音声との再生タイミングの同期を行うため、音声を利用した映像と音声との再生タイミングの同期と比較して、周囲の雑音に影響されない同期処理を行うことが可能となる。
【００６１】
さらに上記の方法では、ユーザの操作による、映像と音声との同期処理を実行するため、比較的簡単な設計により、かかる同期処理を実現させることが可能となる。
【００６２】
＜３．実施形態２＞
次に、本発明の実施形態２について、図６乃至図８を参照しながら具体的に説明する。本実施形態は、実施形態１と比較して、ソース機器１０の構成要素のうちの操作入力部２００が受光部２１０に変更されている点で異なっている。これによって、本実施形態では、映像と音声との同期処理が実施形態１とは異なる。
【００６３】
＜（１）ソース機器の構成＞
本実施形態のソース機器１０は、コンテンツ記憶部１１０、デコーダ部１２０、音声データバッファ１３０、映像データバッファ１４０、エンコーダ部１５０、音声出力部１６０、データ送信部１７０、制御部１８０、設定記憶部１９０、及び受光部２１０を含んで構成される。ここで、受光部２１０以外の構成については実施形態１と同様であり、機能についても同様である。以下の説明では、実施形態１とは異なる点について説明する。
【００６４】
＜受光部２１０＞
受光部２１０は、シンク機器３０の表示部３６０に表示される映像の光を受光し、その光の明るさの変化を検出し、そして検出結果を制御部１８０に出力可能に構成される。受光部２１０は受光素子によって構成される。
【００６５】
＜制御部１８０＞
制御部１８０は、受光部２１０から入力される検出信号と、デコーダ部１２０から入力される、音声出力タイミング調整用映像のデータが含む映像に関連付けられたタイミング信号とに基づいて音声出力タイミング設定値を決定し、設定記憶部１９０に記憶させることができるよう構成される。それ以外の機能については、実施形態１と同様である。
【００６６】
＜（２）映像と音声との同期の処理＞
次に、本実施形態のシステムでの映像と音声とを同期させる処理について、図７及び図８を参照しながら具体的に説明する。
【００６７】
上記のとおり、実施形態１と比較すると、本実施形態では受光部２１０を備える点で異なっており、これによって、音声出力タイミング調整用映像、及び時間Ｔ２の取得のタイミングが異なる。つまり、時間Ｔ１の取得タイミングについては実施形態１と同様であるため、その説明を省略する。
【００６８】
表示部３６０では、実施形態１と同様の処理によって、図７及び図８に示した、音声出力タイミング調整用映像が表示されることとなる。音声出力タイミング調整用映像は、図７に示すように、音声遅延設定が実行中であることを示す文字、光検出部（受光部２１０）を画面に向けることをユーザに促す文字、及びカウントダウンを示す数字（図４では「５」と表示）が表示される映像である。また、背景は暗い画像になっている。音声出力タイミング調整用映像は、時間経過とともにカウントダウンの数字が減っていく。そして、最終的には、図８に示すように、カウントダウンを示す数字として「０」が表示され、それと同時に背景が明るい画像に切り替えられる。この、カウントダウンを示す数字として「０」が表示され、明るい背景となった画像を、本実施形態では「ゼロ表示画像」と呼ぶ。また、シンク機器３０の音声出力部３５０からは、ユーザに対して音声遅延設定を行う旨の通知、及びカウントダウンを音声で行う。この音声による通知及びカウントダウンは必ずしも行われる必要はなく、その場合にはシンク機器の音声データバッファ３３０及び音声出力部３５０は必ずしも必要ではない。ただし、映像の表示と同時に音声での誘導を行うことで、操作性が向上する。
【００６９】
上記のように、音声出力タイミング調整用映像が「ゼロ表示画像」に切り替えられたタイミングで、受光部２１０は表示部３６０の明るさが変化したことを検出し、制御部１８０に対して検出信号を出力する。検出信号を受け取った制御部１８０は、この検出信号を受け取ったタイミングで内部タイマーから時間を取得し、この時間をＴ２として記憶する。
【００７０】
本実施形態では、このように取得された時間Ｔ２に基づいて、実施形態１と同様の処理を実行する。このように、映像と音声との同期の処理を実行することにより、それ以降に実行されるコンテンツの映像と音声とも同期が取れ、ユーザは違和感なくコンテンツを視聴することが可能となる。
【００７１】
上記の方法によれば、再生される映像と音声との同期を、受光する光の明るさ、つまり表示部３６０に表示される音声出力タイミング調整用映像の明暗に基づいて実行している。これによって、実施形態１に示すユーザの操作による同期の実行と比較すると、自動的な同期が可能であり、ユーザ操作による誤作動を防止することができる。また、単なる画面の明暗を利用した同期の実行が可能であるため、比較的簡単な設計による同期の実行が可能となる。
【００７２】
＜４．実施形態３＞
次に、本発明の実施形態３について、図９乃至図１３を参照しながら具体的に説明する。本実施形態は、実施形態１と比較して、ソース機器１０の構成要素のうちの操作入力部２００が撮像部２２０に変更されている点で異なっている。
【００７３】
＜（１）ソース機器の構成＞
本実施形態のソース機器１０は、コンテンツ記憶部１１０、デコーダ部１２０、音声データバッファ１３０、映像データバッファ１４０、エンコーダ部１５０、音声出力部１６０、データ送信部１７０、制御部１８０、設定記憶部１９０、及び撮像部２２０を含んで構成される。ここで、撮像部２２０以外の構成については実施形態１と同様であり、機能についても同様である。以下の説明では、実施形態１とは異なる点について説明する。
【００７４】
＜撮像部２２０＞
撮像部２２０は、シンク機器３０の表示部３６０に表示される映像を撮像し、その撮像した映像の変化に基づく検出信号を制御部１８０に出力可能に構成される。撮像部２２０は、映像を撮影可能なカメラと、画像処理を実施可能なＤＳＰのような処理回路とを含んで構成される。
【００７５】
＜制御部１８０＞
制御部１８０は、撮像部２２０から入力される検出信号と、デコーダ部１２０から入力される、音声出力タイミング調整用映像のデータが含む映像に関連付けられたタイミング信号とに基づいて音声出力タイミング設定値を決定し、設定記憶部１９０に記憶させることができるよう構成される。それ以外の機能については、実施形態１と同様である。
【００７６】
＜（２）映像と音声との同期の処理＞
次に、本実施形態のシステムでの映像と音声とを同期させる処理について、図１０乃至図１３を参照しながら具体的に説明する。
【００７７】
上記のとおり、実施形態１と比較すると、本実施形態では撮像部２２０を備える点で異なっており、これによって、音声出力タイミング調整用映像、及び時間Ｔ２の取得のタイミングが異なる。つまり、時間Ｔ１の取得タイミングについては実施形態１と同様であるため、その説明を省略する。
【００７８】
表示部３６０では、実施形態１と同様の処理によって、図１０及び図１１に示した、音声出力タイミング調整用映像が表示されることとなる。音声出力タイミング調整用映像は、図１０に示すように、音声遅延設定が実行中であることを示す文字、表示部３６０の特定の部分に表示されるガイド表示に向けて撮像部２２０を向けて撮像（撮影）するように促す文字（図１０及び図１１の右側）、及び撮像中の映像（図１０及び図１１の左側）が表示される画像である。表示部３６０には、音声遅延設定の開始から一定時間が経過したタイミングで、図１１に示すようなパターン画像が表示される。その後、表示部３６０には、一定時間経過ごとに異なるパターン画像が表示される。
【００７９】
図１２は、このパターン画像の例を図である。パターン画像は、図１２（ａ）で示されるように画面中央に円形の図柄が表示される画像、図１２（ｂ）で示されるように画面中央に矩形図柄が表示される画像、または図１２（ｃ）に示されるように画面中央にひし形図形が表示される画像などが採用される。ここでのパターン画像は、このような単純な図形を採用可能であるほか、画像処理によって、画像の違いを検出しやすいパターン画像を使うことが好ましい。
【００８０】
撮像部２２０では、音声出力タイミング調整用映像が別のパターン画像に切り替えられたタイミングを、切り替え前後の画像を比較する画像処理を実行することで検出し、制御部１８０に対して検出信号を出力する。検出信号を受け取った制御部１８０は、この検出信号を受け取ったタイミングで内部タイマーから時間を取得し、この時間をＴ２として記憶する。本実施形態では、複数のパターン画像を一定のタイミングで切り替えるようにすることで、この時間Ｔ２の検出タイミングが断続的に発生することになる。
【００８１】
本実施形態では、このように取得された時間Ｔ２に基づいて、実施形態１と同様の処理を実行する。このように、映像と音声との同期の処理を実行することにより、それ以降に実行されるコンテンツの映像と音声とも同期が取れ、ユーザは違和感なくコンテンツを視聴することが可能となる。
【００８２】
また、音声出力タイミング調整用映像に含まれる映像を、パターン画像を含む映像とすることに代えて、タイミング情報を含む映像にすることもできる。図１３は、タイミング情報を含む映像の例を示している。表示部３６０の画面中央には、例えば２次元コードなどによりタイミング情報が表示され、左上及び右下には、同期タイミングを知らせるマーカー情報が表示される。マーカー情報は特定のタイミングで点滅する映像であり、この点滅のタイミングに合わせて、撮像部２２０が時間Ｔ２を検出する。
【００８３】
デコーダ部１２０は、音声出力タイミング調整用映像におけるマーカー情報の点滅タイミングの映像がデコードされるタイミングで、制御部１８０にタイミング信号を出力する。また、デコーダ部１２０は、このタイミング情報を出力する際に、マーカー情報に関連付けられたタイミング情報を同時に出力する。このタイミング情報は、例えば、マーカー情報の点滅タイミングの順に合わせて１から順に増加していく情報である。これによって、制御部１８０に入力されるタイミング情報と、表示部３６０の中央部分に表示されるタイミング情報を含む映像とに基づいて、適切なタイミングで時間Ｔ１及び時間Ｔ２の検出がなされているのかを確認可能となる。
【００８４】
上記のように、再生される映像と音声との同期を、動画を利用して実行することによって、ユーザの操作による同期の実行と比較すると、自動的な同期が可能であり、ユーザ操作による誤作動を防止することができる。また、単なる画面の明暗を利用した同期の実行と比較すると、画面自体の明暗に影響されることのない同期の実行が可能になる。
【００８５】
また、上記の方法によれば、再生される映像と音声との同期が、一度の映像の切り替えタイミングでは失敗してしまった場合でも、次の画面の切り替えタイミングでかかる同期を再度実行することが可能となる。ひいては、ユーザによる操作を容易化することが可能となる。
【００８６】
また、上記の方法によれば、単純なパターン画像を利用していることにより、比較的簡単な図形を利用した再生される映像と音声との同期が可能となる。また、複雑な画像を利用する場合と比較して、簡単な設計による再生映像と再生音声との同期の実行が可能となる。
【００８７】
また、上記方法において、タイミング情報を含む映像を音声出力タイミング調整用映像のデータとして用いることにより、映像自体がタイミング情報を含むこととなり、タイミングの同期に利用すべき映像の情報を、かかるタイミング情報を参照することにより確認可能となる。ひいては、不具合の少ない同期処理が可能となる。
【００８８】
＜５．実施形態４＞
次に、本発明の実施形態４について、図１４及び図１５を参照しながら具体的に説明する。本実施形態は、実施形態１と比較して、ソース機器１０の構成要素のうちの操作入力部２００が、マイク２３０に置き換えられている点で異なる。これによって、本実施形態では、映像と音声との同期処理が実施形態１とは異なる。また、これまで説明した実施形態と比較して、本実施形態では音声を利用した映像と音声との同期の処理を実行する点でも異なる。
【００８９】
特に、本実施形態では、映像と音声とを同期させるための音声出力タイミング調整用音声としてＤＴＭＦを利用している。これによって、音声出力タイミング調整用音声を特定の周波数のみを持つ音声とした場合では同じ周波数帯にノイズが発生した際に正常に動作しないことがあったが、複数の周波数の音声が合成された音声であるＤＴＭＦを利用することにより、このようなノイズにも影響されづらくなる。なお、ここではＤＴＭＦを音声出力タイミング調整用音声の例として挙げているが、複数の周波数の音声が合成された音声であれば適用可能である。
【００９０】
＜（１）ソース機器の構成＞
本実施形態のソース機器１０は、コンテンツ記憶部１１０、デコーダ部１２０、音声データバッファ１３０、映像データバッファ１４０、エンコーダ部１５０、音声出力部１６０、データ送信部１７０、制御部１８０、設定記憶部１９０、及びマイク２３０を含んで構成される。ここで、マイク２３０以外の構成については実施形態１と同様であり、機能についても同様である。以下の説明では、実施形態１とは異なる点について説明する。
【００９１】
なお、本実施形態では、映像ではなく音声を用いた同期処理であるため、ソース機器１０からシンク機器３０に対して送信されるデータは必ずしも映像データを含まなくてもよい。
【００９２】
＜マイク２３０＞
マイク２３０は、シンク機器３０の音声出力部３５０から出力される音声を集音し、この集音した音声に基づいて、所定のタイミングで制御部１８０に対して音声情報を出力可能に構成される。また、マイク２３０は、集音した音声に基づいて、予め定められた音声が入力されたか否かを判定し、その判定結果を制御部１８０に出力可能なＤＳＰのような処理回路を含んで構成される。
【００９３】
＜制御部１８０＞
制御部１８０は、マイク２３０から入力される検出信号と、デコーダ部１２０から入力される音声出力タイミング調整用映像のデータが含む映像に関連付けられたタイミング信号とに基づいて音声出力タイミング設定値を決定し、この音声出力タイミング設定値を設定記憶部１９０に記憶させることができるよう構成される。それ以外の機能については、実施形態１と同様である。
【００９４】
＜（２）映像と音声との同期の動作＞
次に、本実施形態のシステムでの映像と音声とを同期させる処理について、図１５を参照しながら具体的に説明する。
【００９５】
図１５は、ソース機器１０からの送信音声データ、シンク機器３０からの音声出力、外部ノイズ、ソース機器１０のマイク２３０での集音、及びソース機器１０のマイク２３０でのＤＴＭＦの検出状況の時間経過を示す図である。
【００９６】
まず、ソース機器１０からは、時間Ｔ１１を始点にＤＴＭＦのＡ、Ｂ、Ｃ、Ｄの音声がそれぞれインターバルの無音状態を間に挟みながら一定期間ずつ出力される音声データを、データ送信部１７０を介してシンク機器３０に送信される。ここで、このＢの音声が終わるタイミングを時間Ｔ１２とする。なお、ここで示した時間Ｔ１１及び時間Ｔ１２は、音声出力部１６０から音声が出力されるタイミングを示しており、実際にデコーダ部１２０がデコード完了したタイミングに、かかるデコード完了から音声出力までに要する時間を加算した時間を基準としている。
【００９７】
シンク機器３０では、データ受信部３１０が、ソース機器１０から送信された上記音声データを受信し、デコーダ部３２０に出力する。デコーダ部３２０は、この受信した音声データをデコードし、音声データバッファ３３０を経て、音声出力部３５０から音声が出力される。図１５には、この音声出力部３５０から音声が出力されるタイミングを示している。このタイミングは、ソース機器１０がデコードされる時間から一定の時間が経過している。図１５において、ＤＴＭＦのＡ、Ｂ、Ｃ、Ｄは、時間Ｔ１３を始点に音声出力部１６０から出力される。また、シンク機器３０の音声出力部１６０からＢの音声データの出力が終わるタイミングがＴ１４である。
【００９８】
ここで、ソース機器１０とシンク機器３０との周辺にはノイズ源があることがある。図１５には、このノイズ源からノイズが発生される状態が示されている。ここでは、ＤＴＭＦのＡの音声の出力が開始される前にノイズが発生し始め、ＤＴＭＦのＡの音声が出力されている途中でノイズの発生が止まる例を示している。
【００９９】
上記のシンク機器３０の音声出力部３５０からの音声の出力と、外部ノイズとを、ソース機器１０のマイク２３０が集音する状況、及びマイク２３０でのＤＴＭＦ検出の状況について図１５に示されている。すなわち、ＤＴＭＦのＡの再生中にはノイズが重畳され、マイク２３０では十分に音声からの情報を取得することができない。よって、マイク２３０は、ノイズが重畳されて十分に音声からの情報を取得できなかった、ＤＴＭＦのＡの音声に対応する部分については制御部１８０に対して検出信号を出力せず、次のＤＴＭＦのＢの音声に対応する部分について、制御部１８０に対して検出信号を出力する。具体的には、ＤＴＭＦのＢの音声の終端のタイミングである時間Ｔ１４で、マイク２３０は制御部１８０に検出信号を出力する。この検出信号には、検出対象となった音声がＤＴＭＦのＢであることを示す情報が含まれている。
【０１００】
制御部１８０は、入力された検出信号に含まれる検出対象の情報を確認し、その検出対象となった音声がソース機器１０の音声出力部１６０から出力されたタイミングである時間Ｔ１１を、時間Ｔ１として特定する。また、マイク２３０から検出信号を入力されたタイミングである時間Ｔ１４を、時間Ｔ２として特定する。そして、これらの時間Ｔ１及び時間Ｔ２に基づいて、実施形態１と同様の処理によって映像と音声との同期処理を実行する。
【０１０１】
本実施形態では、上記のように複数の周波数の音声が合成された音声を音声出力タイミング調整用の音声として利用することで、音声を使いながら、周囲の音声ノイズに強い、再生される映像と音声とのタイミングの同期の実行が可能となる。
【０１０２】
また、本実施形態ではＤＴＭＦのデータを利用しているため、比較的簡単な方法で、かかる再生音声と再生映像とのタイミングの同期の実行が可能となる。
【０１０３】
また、上記のように、音声出力タイミング調整用音声が、第１音声（Ａ）、無音、第２音声（Ｂ）、無音、というように、無音の状態を挟みながら所定の期間ずつ音声が出力されるようにしている。これによって、第１音声（Ａ）のタイミングでの同期処理がノイズ等によりできなかった場合でも、第２音声（Ｂ）のタイミングでの同期処理が可能となり、ユーザの操作性を向上させることが可能となる。
【０１０４】
＜６．補足事項＞
以上、本発明の各実施形態についての具体的な説明を行った。上記説明は、あくまで一実施形態としての説明であって、本発明の範囲はこの一実施形態に留まらず、当業者が把握可能な範囲にまで広く解釈されるものである。
【０１０５】
実施形態１乃至実施形態３では、映像を利用した、映像と音声との同期について説明したが、発明の趣旨からも理解されるように、これらの実施形態においては音声データをシンク機器３０に送信することは、必ずしも必要ではない。すなわち、映像データのみをシンク機器３０に送信するようにしてもよい。
【０１０６】
また、ソース機器１０において、映像データバッファ１４０は必ずしも必要な構成ではない。一方で、音声出力部１６０からの音声の出力を遅延させる構成は必要である。
【０１０７】
これに対してシンク機器３０では、実施形態１乃至実施形態３の映像を利用した音声と映像とを同期可能なシステムでは、音声データバッファ３３０及び音声出力部３５０は必須な構成ではない。一方で、実施形態４の音声を利用した映像と音声とを同期可能なシステムでは、映像データバッファ３４０及び表示部３６０は、本発明の適用に関しては、必ずしも必須な構成ではない。ただし、シンク機器３０は映像を表示することを主目的としている趣旨から、表示部３６０は通常供えられる。また、音声データバッファ３３０及び映像データバッファ３４０は、そもそもデータの一時的な記憶が必要ではない場合もあり、この場合は必須な構成ではない。
【０１０８】
また、上記の説明では、撮像部２２０またはマイク２３０がそれぞれＤＳＰのような処理回路を備えるとして説明しているが、このような処理回路は制御部１８０が備える構成としてもよい。
【産業上の利用可能性】
【０１０９】
本発明は、映像と音声とを含むコンテンツ（動画）を再生可能な情報処理装置に好適に適用される。
【符号の説明】
【０１１０】
１０…ソース機器
３０…シンク機器
１１０…コンテンツ記憶部
１２０…デコーダ部
１３０…音声データバッファ
１４０…映像データバッファ
１５０…エンコーダ部
１６０…音声出力部
１７０…データ送信部
１８０…制御部
１９０…設定記憶部
２００…操作入力部
２１０…受光部
２２０…撮像部
２３０…マイク
３１０…データ受信部
３２０…デコーダ部
３３０…音声データバッファ
３４０…映像データバッファ
３５０…音声出力部
３６０…表示部
【図１】
2015119285.tif 000003
【図２】
2015119285.tif 000004
【図３】
2015119285.tif 000005
【図４】
2015119285.tif 000006
【図５】
2015119285.tif 000007
【図６】
2015119285.tif 000008
【図７】
2015119285.tif 000009
【図８】
2015119285.tif 000010
【図９】
2015119285.tif 000011
【図１０】
2015119285.tif 000012
【図１１】
2015119285.tif 000013
【図１２】
2015119285.tif 000014
【図１３】
2015119285.tif 000015
【図１４】
2015119285.tif 000016
【図１５】
2015119285.tif 000017